(57)【特許請求の範囲】
【請求項１】
螺子山が形成された棒状の螺子部と、
前記螺子部に螺合される第１ナット部と第２ナット部とを有するダブルナット部と、
前記第１ナット部と前記第２ナット部との間に設けられ前記第１ナット部及び前記第２ナット部の対角寸法よりも大きい直径を有するワッシャ部と、
を含むダブルナット機構を締結する際に用いるダブルナット締結補助装置であって、
前記ワッシャ部が通過可能な孔部を有する筒状の把持部と、
前記孔部の下部に設けられ、前記第１ナット部又は前記第２ナット部を通過させて前記ワッシャ部を係止可能な係止部と、
前記係止部の下部に設けられ、前記第１ナット部又は前記第２ナット部の前記螺子部への螺合回転を規制する回転規制部と、
を備えることを特徴とするダブルナット締結補助装置。
【請求項２】
請求項１に記載のダブルナット締結補助装置において、
前記把持部は、軸方向に沿ったスリットが形成されていることを特徴とするダブルナット締結補助装置。
【請求項３】
請求項１または請求項２に記載のダブルナット締結補助装置において、
前記把持部の孔部は、前記第１ナット部及び前記第２ナット部を螺合させることが可能なインパクトレンチのソケットの外形に沿った形状を有し、前記ソケットを収納可能な構造を有することを特徴とするダブルナット締結補助装置。
【請求項４】
請求項１から請求項３のいずれか１項に記載のダブルナット締結補助装置において、
前記第１ナット部及び前記第２ナット部は六角ナットであり、
前記回転規制部は、前記六角ナットを嵌合させるための六角又は十二角の凹凸形状を有することを特徴とするダブルナット締結補助装置。
【発明の詳細な説明】
【技術分野】
【０００１】
本発明は、ダブルナット締結補助装置に関する。
【背景技術】
【０００２】
従来、建設現場などにおいて、振動に対する戻り止めとしてダブルナットが用いられている。本発明に関連する技術として、例えば、特許文献１には、ボルト又はナットを締め付けるインパクトレンチ用ソケットであって、外周面に回転状態又は停止状態を判別するための指標を設けたことを特徴とするインパクトレンチ用ソケットが開示されている。
【先行技術文献】
【特許文献】
【０００３】
【特許文献１】特開２００２−２５４３３２号公報
【発明の概要】
【発明が解決しようとする課題】
【０００４】
ダブルナットを締め付ける手順の一例として、下ナットを締め付けた後に、上ナットを締め付け、その後、上ナットを固定して下ナットを逆回転させることがある。この際、上ナットを固定するのにメガネレンチなどで固定しつつ、下ナットをインパクトレンチなどで回転させる必要がある。
【０００５】
一人の作業者が締め付け作業をする際には、棒状に長く伸びたメガネレンチなどを片手で操作しながら、もう一方の手でインパクトレンチなどの電動工具を操作する必要があるため、効率良く締め付け作業を行うことができないという課題がある。
【０００６】
本発明の目的は、効率良くダブルナットを締め付けることを可能とするダブルナット締結補助装置を提供することである。
【課題を解決するための手段】
【０００７】
本発明に係るダブルナット締結補助装置は、螺子山が形成された棒状の螺子部と、前記螺子部に螺合される第１ナット部と第２ナット部とを有するダブルナット部と、前記第１ナット部と前記第２ナット部との間に設けられ前記第１ナット部及び前記第２ナット部の対角寸法よりも大きい直径を有するワッシャ部と、を含むダブルナット機構を締結する際に用いるダブルナット締結補助装置であって、前記ワッシャ部が通過可能な孔部を有する筒状の把持部と、前記孔部の下部に設けられ、前記第１ナット部又は前記第２ナット部を通過させて前記ワッシャ部を係止可能な係止部と、前記係止部の下部に設けられ、前記第１ナット部又は前記第２ナット部の前記螺子部への螺合を規制する回転規制部と、を備えることを特徴とする。
【０００８】
また、本発明に係るダブルナット締結補助装置において、前記把持部は、軸方向に沿ったスリットが形成されていることが好ましい。
【０００９】
また、本発明に係るダブルナット締結補助装置において、前記把持部の孔部は、前記第１ナット部及び前記第２ナット部を螺合させることが可能なインパクトレンチのソケットの外形に沿った形状を有し、前記ソケットを収納可能な構造を有することが好ましい。
【００１０】
また、本発明に係るダブルナット締結補助装置において、前記第１ナット部及び前記第２ナット部は六角ナットであり、前記回転規制部は、前記六角ナットを嵌合させるための六角又は十二角の凹凸形状を有することが好ましい。
【発明の効果】
【００１１】
本発明によれば、効率良くダブルナットを締め付けることが出来る。
【図面の簡単な説明】
【００１２】
【図１】本発明に係る実施形態のダブルナット締結補助装置を示す斜視図である。
【図２】本発明に係る実施形態において、ダブルナット締結補助装置の平面図と、ダブルナット機構の側面図と、ソケットの側面図、平面図及び底面図である。
【図３】本発明に係る実施形態のダブルナット締結補助装置にダブルナット機構を装着し、その後、ソケットを装着している様子を示す図である。
【発明を実施するための形態】
【００１３】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１４】
図１は、本発明に係る実施形態のダブルナット締結補助装置１０を示す斜視図である。図２は、ダブルナット締結補助装置１０の平面図と、ダブルナット機構５の側面図と、ソケット６の側面図、平面図及び底面図である。
【００１５】
図３は、ダブルナット締結補助装置１０にダブルナット機構５を装着し、その後、ソケット６を装着している様子を示す図である。
【００１６】
ダブルナット機構５は、螺子部４と、第１ナット部と第２ナット部３とを有するダブルナット部７と、ワッシャ部２とを備えている。
【００１７】
螺子部４は、螺子山（螺子溝）が形成された棒状の金属製部材であり、第１ナット部１と第２ナット部３が螺合される棒部材である。
【００１８】
ダブルナット部７は、螺子部４に螺合される第１ナット部１と第２ナット部３とを有する。第１ナット部１及び第２ナット部３は、六角形状の外形を有する金属製のナットである。
【００１９】
ワッシャ部２は、第１ナット部１と第２ナット部３との間に設けられ、第１ナット部１及び第２ナット部３の対角寸法よりも大きい直径を有する円状の金属製の板部材である。
【００２０】
ここでは、第１ナット部１又は第２ナット部３は、電動インパクトレンチ（不図示）で自動的に螺合するものとして説明するが、もちろん、手動で螺合させてもよい。
【００２１】
電動インパクトレンチは、電気や圧縮空気を動力源として内蔵されたモータを回転させ、内蔵されたハンマーを回転させる。ハンマーはソケット６が接続された軸に、回転方向に打撃（インパクト）を与える。
【００２２】
この打撃により先端に取り付けられたソケット６などが回転し、第１ナット部１又は第２ナット部３を回すことができ、ソケット６が接続された軸は常にインパクトを受けながら回転しているため、大きなトルクをかけることができる。
【００２３】
ソケット６は、電動インパクトレンチに装着して、第１ナット部１又は第２ナット部３を回転させるための金属製の円筒部材である。ソケット６は、図２（ｃ）に示されるように、底面部６Ｂ側には、第１ナット部１又は第２ナット部３を嵌合させるための六角形状の孔部を有しており、天井面部６Ｔ側には、電動インパクトレンチに連結するための四角形状の孔部を有する。
【００２４】
ダブルナット締結補助装置１０は、ダブルナット機構５を締結する際に用いる金属製の装置である。ダブルナット締結補助装置１０は、把持部１２と、係止部１４と、回転規制部１６とを備えている。
【００２５】
把持部１２は、ワッシャ部２が通過可能な孔部１３を有する筒状部材である。把持部１２の側面には、軸方向に沿ったスリット１５が形成されている。このため、図２（ａ）に示されるように、把持部１２の平面視は、略Ｃ字形状を有している。
【００２６】
把持部１２の孔部１３は、第１ナット部１及び第２ナット部３を螺合させることが可能な電動インパクトレンチのソケット６の外形に沿った円柱形状を有し、ソケット６を収納可能な構造を有する。すなわち、孔部１３の直径は、ソケット６の本体部６Ｈの直径に比べて若干大きい径に設定されている。
【００２７】
係止部１４は、孔部１３の下部に設けられ、第１ナット部１又は第２ナット部３を通過させてワッシャ部２を係止可能な部位である。係止部１４は、回転規制部１６の天井面によって構成されており、詳細な説明は後述する。
【００２８】
回転規制部１６は、係止部１４の下部に設けられ、第１ナット部１又は第２ナット部３の螺子部４への螺合回転を規制する。
【００２９】
回転規制部１６は、第１ナット部１及び第２ナット部３の六角ナットを嵌合させるための六角又は十二角の凹凸形状を有するが、ここでは、十二角の凹凸形状を有するものとして説明する。
【００３０】
回転規制部１６の六角の凹凸形状は、第１ナット部１及び第２ナット部３の外形である六角形と一致しているため、第１ナット部１又は第２ナット部３と嵌合させることで回転方向の動きをしっかりと規制することができる。
【００３１】
これに対し、十二角の凹凸形状は、六角の倍の凹凸が形成されているため、第１ナット部１及び第２ナット部３を挿入しやすく、かつ、嵌合させることで、第１ナット部１及び第２ナット部３の回転を規制できる。
【００３２】
図２（ａ）に示されるように、回転規制部１６の十二角の凹凸形状は、孔部１３の外径よりも内径側に形成されており、凹凸を形成する壁部が突設されている。当該壁部の天井面がワッシャ部２を係止可能な部位である係止部１４として機能する。
【００３３】
続いて、上記構成のダブルナット締結補助装置１０の作用について説明する。図２（ｂ）に示されるダブルナット機構５において、ダブルナット部７を締め付ける際にダブルナット締結補助装置１０を準備する。
【００３４】
具体的には、図３（ａ）に示されるように、ユーザの一方の手８ａで、ダブルナット締結補助装置１０の把持部１２を握り、ダブルナット機構５の螺子部４を把持部１２の孔部１３に通過させて、第２ナット部３を回転規制部１６の六角の凹凸形状に嵌合させる。
【００３５】
このとき、ワッシャ部２が係止部１４に係合され、第２ナット部３は、回転規制部１６と嵌合するため、第２ナット部３の回転が規制される。しかしながら、第１ナット部１は、第１ナット部１の対角寸法よりも大きい直径の孔部１３に収容されているため、第１ナット部１は回転可能なフリーな状態となっている。
【００３６】
その後、ユーザの他方の手８ｂで、電動インパクトレンチのソケット６を手に取り、図３（ｂ）に示されるように、ソケット６の底面部６Ｂ側から孔部１３に挿入する。
【００３７】
そして、ソケット６の底面部６Ｂの六角形状の孔部を第１ナット部１に嵌合させる。このとき、ソケット６の天井面部６Ｔは、把持部１２から突出した状態となっている。次に、電動インパクトレンチとソケット６の天井面部６Ｔとを接続させて、電動インパクトレンチを作動させる。
【００３８】
電動インパクトレンチの作動により、ソケット６が回転すると、ソケット６の底面部６Ｂに嵌合する第１ナット部１が回転する。このとき、第２ナット部３は、回転規制部１６により回転が規制されているので、第１ナット部１と第２ナット部３とを有するダブルナット部７をしっかりと締め付けることが出来る。
【００３９】
従来、ダブルナットを締め付ける際に、一人の作業者が締め付け作業をするために、棒状に長く伸びたメガネレンチなどを片手で操作しながら、もう一方でインパクトレンチなどの電動工具を操作する必要があるため、効率良く締め付け作業を行えないという課題があった。また、一人で難しい場合は、二人の作業者で締め付けを行う必要があった。
【００４０】
しかしながら、ダブルナット締結補助装置１０によれば、一人の作業者（ユーザ）が一方の手８ａで把持部１２を持ちながら、他方の手８ｂで電動インパクトレンチを操作するだけで締め付けることができる。これにより、効率良く締め付けることができるという顕著な効果を奏する。
【００４１】
なお、ダブルナット締結補助装置１０は、把持部１２にスリット１５が形成されているため、図３（ａ）（ｂ）に示されるように、ダブルナット機構５とソケット６を装着する際に視認することができ、効率良く装着することができるが、スリット１５は必須の構成ではなく、スリット１５が無くても上記のように効率良く締め付けを行えるという効果を発揮する。
【符号の説明】
【００４２】
１  第１ナット部、２  ワッシャ部、３  第２ナット部、４  螺子部、５  ダブルナット機構、６  ソケット、６Ｂ  底面部、６Ｔ  天井面部、７  ダブルナット部、８ａ，８ｂ  手、１０  ダブルナット締結補助装置、１２  把持部、１３  孔部、１４  係止部、１５  スリット、１６  回転規制部。
【要約】
【課題】効率良くダブルナットを締め付けることを可能とするダブルナット締結補助装置を提供することである。
【解決手段】ダブルナット締結補助装置１０は、螺子山が形成された棒状の螺子部４と、螺子部４に螺合される第１ナット部１と第２ナット部３とを有するダブルナット部と、第１ナット部１と第２ナット部３との間に設けられ第１ナット部１及び第２ナット部３の対角寸法よりも大きい直径を有するワッシャ部２と、を含むダブルナット機構５を締結する際に用いるダブルナット締結補助装置１０であって、ワッシャ部２が通過可能な孔部１３を有する筒状の把持部１２と、孔部１３の下部に設けられ、第１ナット部１又は第２ナット部３を通過させてワッシャ部２を係止可能な係止部１４と、係止部１４の下部に設けられ、第１ナット部１又は第２ナット部３の螺子部４への螺合を規制する回転規制部１６と、を備える。
【選択図】図１【図１】
0006697152.tif 000002
【図２】
0006697152.tif 000003
【図３】
0006697152.tif 000004